(57)【要約】【課題】落下させてしまう危険性を増大させることなく、片手での入力操作を可能にする。【解決手段】画像を表示する表示部と、表示部に積層され、物体が接触または近接した位置を検知する入力部と、傾きを検出する傾き検出部と、入力部にて検知された位置に基づき、その位置に対応する表示部に表示された画像を選択画像として認識した後、認識した選択画像と、傾き検出部にて検出された傾きの変化とに応じた動作を実行する制御部とを有する【選択図】図２
2013058024.tif 000002
【特許請求の範囲】
【請求項１】
画像を表示する表示部と、
前記表示部に積層され、物体が接触または近接した位置を検知する入力部と、
傾きを検出する傾き検出部と、
前記入力部にて検知された位置に基づき、当該位置に対応する前記表示部に表示された画像を選択画像として認識した後、該認識した選択画像と、前記傾き検出部にて検出された傾きの変化とに応じた動作を実行する制御部と、を有する携帯端末。
【請求項２】
請求項１に記載の携帯端末において、
前記傾き検出部は、傾きの方向を決定し、
前記制御部は、前記表示部において、前記認識した選択画像の周囲に、当該選択画像に関連する関連画像を表示させ、その後、前記傾き検出部にて傾きの方向が決定されると、前記表示部において当該選択画像の前記決定された方向に表示された関連画像を、当該選択画像に代えて新たな選択画像として認識する携帯端末。
【請求項３】
請求項２に記載の携帯端末において、
前記選択画像として認識される画像は、文字を示す画像であり、
前記入力部は、前記物体の接触または近接がなくなったことを検知し、
前記制御部は、前記選択画像を認識した後、前記入力部にて前記物体の接触または近接がなくなったことが検知されると、当該選択画像が示す文字を当該携帯端末に入力された文字として認識する携帯端末。
【請求項４】
画像を表示する表示部と、前記表示部に積層され、物体が接触または近接した位置を検知する入力部とを有する携帯端末における入力受付方法であって、
前記入力部にて検知された位置に基づき、当該位置に対応する前記表示部に表示された画像を選択画像として認識する処理と、
傾きを検出する処理と、
前記認識した選択画像と、前記検出した傾きの変化とに応じた動作を実行する受付処理と、を有する入力受付方法。
【請求項５】
請求項４に記載の入力受付方法において、
傾きの方向を決定する傾き決定処理をさらに有し、
前記受付処理は、
前記表示部において、前記認識した選択画像の周囲に、当該選択画像に関連する関連画像を表示させる処理と、
前記傾き決定処理にて傾きの方向が決定されると、前記表示部において当該選択画像の前記決定された方向に表示された関連画像を、当該選択画像に代えて新たな選択画像として認識する処理と、を含む入力受付方法。
【請求項６】
請求項５に記載の入力受付方法において、
前記選択画像として認識される画像は、文字を示す画像であり、
前記入力部が、前記物体の接触または近接がなくなったことを検知する処理と、
前記選択画像を認識した後、前記入力部にて前記物体の接触または近接がなくなったことが検知されると、当該選択画像が示す文字を当該携帯端末に入力された文字として認識する処理と、さらに有する入力受付方法。
【請求項７】
画像を表示する表示部と、前記表示部に積層され、物体が接触または近接した位置を検知する入力部とを有する携帯端末に、
前記入力部にて検知された位置に基づき、当該位置に対応する前記表示部に表示された画像を選択画像として認識する機能と、
傾きを検出する機能と、
前記認識した選択画像と、前記検出した傾きの変化とに応じた動作を実行する受付機能と、を実現させるためのプログラム。
【請求項８】
請求項７に記載のプログラムにおいて、
前記携帯端末に、傾きの方向を決定する傾き決定機能をさらに実現させ、
前記受付機能は、
前記表示部において、前記認識した選択画像の周囲に、当該選択画像に関連する関連画像を表示させる機能と、
前記傾き決定機能にて傾きの方向が決定されると、前記表示部において当該選択画像の前記決定された方向に表示された関連画像を、当該選択画像に代えて新たな選択画像として認識する機能と、を含むプログラム。
【請求項９】
請求項８に記載のプログラムにおいて、
前記選択画像として認識される画像は、文字を示す画像であり、
前記携帯端末に、
前記入力部が、前記物体の接触または近接がなくなったことを検知する機能と、
前記選択画像を認識した後、前記入力部にて前記物体の接触または近接がなくなったことが検知されると、当該選択画像が示す文字を当該携帯端末に入力された文字として認識する機能と、をさらに実現させるためのプログラム。
【発明の詳細な説明】
【技術分野】
【０００１】
本発明は、表示部と表示部に積層された入力部とを有する携帯端末、入力受付方法およびプログラムに関する。
【背景技術】
【０００２】
近年、携帯ゲーム機やスマートフォン等、タッチパネルを備えた携帯端末が普及してきている。タッチパネルは、画像を表示する表示部としての機能とともに、その表示部に積層され、携帯端末の操作者からの入力を受け付ける入力部としての機能を有している。
【０００３】
タッチパネルを備えた携帯端末の操作者は、指等の物体でタッチパネルを構成する表示部に接触することで、その携帯端末に文字を入力する等の入力操作を行う。
【０００４】
図６は、携帯端末の操作者がその携帯端末に文字を入力する際に用いる画像の一例を示す図であり、（ａ）は複数の代表画像の一例を示す図、（ｂ）は（ａ）に示した複数の代表画像のうち「あ」を示す代表画像に携帯端末の操作者が指等の物体で接触したときの状態を示す図である。
【０００５】
なお、代表画像とは、５０音の各行の最初の文字を示す画像である。代表画像は、５０音の各行の最初の文字だけではなく、文字として入力される複数の記号のそれぞれのうち、最初の文字として予め決められた文字を示す画像を含んでいてもよい。
【０００６】
図６を参照しながら、携帯端末の操作者から「お」の入力を受け付けるときのその携帯端末の動作について説明する。
【０００７】
まず、携帯端末の操作者は、タッチパネルを構成する表示部１１３に表示された「あ」〜「わ」のそれぞれを示す代表画像のうち「あ」を示す代表画像が表示された位置に指等の物体で接触する。
【０００８】
「あ」を示す代表画像の位置に指等の物体が接触すると、携帯端末は、「あ」を示す代表画像を、選択された画像である選択画像として認識する。
【０００９】
そして、携帯端末は図６（ｂ）に示すように、表示部１１３において、選択画像として認識した「あ」を示す代表画像の周囲にあ行の「あ」以外の文字である「い」〜「お」のそれぞれを示す４つの画像を表示させる。
【００１０】
次に、携帯端末の操作者は、指等の物体を、表示部１１３上で弾くようにして「お」を示す画像が表示された方向へ向けて素早く移動させる。このような動作のことをフリック動作という。すると、携帯端末は、「お」を示す画像が示す文字を、入力された入力文字として認識する。
【００１１】
そして、携帯端末は、入力文字として認識した「お」を、表示部１１３において入力文字表示エリア１５１に表示させる。
【００１２】
なお、このような方法で文字を入力するための技術が例えば、特許文献１に開示されている。
【００１３】
また、タッチパネルを備えた携帯端末を用いた文字入力の他の例としては、携帯端末の操作者が、「あ」を示す代表画像が表示された位置を指等の物体で４回タップすることで、携帯端末が「お」を入力文字として認識する方法もある。
【先行技術文献】
【特許文献】
【００１４】
【特許文献１】特表２００５−５３５９７５号公報
【発明の概要】
【発明が解決しようとする課題】
【００１５】
携帯端末の操作者が、その携帯端末を片手で保持しつつ、上述したような方法で入力操作を行う場合、操作者は、表示部上で親指を動かすことになり、携帯端末を確実に保持することができなくなる。この場合、携帯端末を落下させてしまう危険性が増大してしまうという問題点がある。
【００１６】
本発明は、落下させてしまう危険性を増大させることなく、片手での入力操作を可能にする携帯端末、入力受付方法およびプログラムを提供することを目的とする。
【課題を解決するための手段】
【００１７】
上記目的を達成するために本発明の携帯端末は、
画像を表示する表示部と、
前記表示部に積層され、物体が接触または近接した位置を検知する入力部と、
傾きを検出する傾き検出部と、
前記入力部にて検知された位置に基づき、当該位置に対応する前記表示部に表示された画像を選択画像として認識した後、該認識した選択画像と、前記傾き検出部にて検出された傾きの変化とに応じた動作を実行する制御部と、を有する。
【００１８】
また、上記目的を達成するために本発明の入力受付方法は、画像を表示する表示部と、前記表示部に積層され、物体が接触または近接した位置を検知する入力部とを有する携帯端末における入力受付方法であって、
前記入力部にて検知された位置に基づき、当該位置に対応する前記表示部に表示された画像を選択画像として認識する処理と、
傾きを検出する処理と、
前記認識した選択画像と、前記検出した傾きの変化とに応じた動作を実行する受付処理と、を有する。
【００１９】
また、上記目的を達成するために本発明のプログラムは、画像を表示する表示部と、前記表示部に積層され、物体が接触または近接した位置を検知する入力部とを有する携帯端末に、
前記入力部にて検知された位置に基づき、当該位置に対応する前記表示部に表示された画像を選択画像として認識する機能と、
傾きを検出する機能と、
前記認識した選択画像と、前記検出した傾きの変化とに応じた動作を実行する受付機能と、を実現させる。
【発明の効果】
【００２０】
本発明は以上説明したように構成されているので、落下させてしまう危険性を増大させることなく、片手での入力操作が可能となる。
【図面の簡単な説明】
【００２１】
【図１】本発明の携帯端末の外観を示す斜視図である。
【図２】本発明の携帯端末の実施の一形態の構成を示すブロック図である。
【図３】図１に示した表示部に表示される、操作者が携帯端末に文字を入力する際に用いる画像の一例を示す図であり、（ａ）は複数の代表画像の一例を示す図、（ｂ）は（ａ）に示した代表画像のうち「あ」を示す代表画像に操作者が指等の物体で接触したときの状態を示す図である。
【図４】図２に示した制御部が記憶している第１〜第４の方向を説明するための図である。
【図５】図１〜図４に示した携帯端末が操作者からの文字入力を受け付けるときの動作を説明するためのフローチャートである。
【図６】携帯端末の操作者がその携帯端末に文字を入力する際に用いる画像の一例を示す図であり、（ａ）は複数の代表画像の一例を示す図、（ｂ）は（ａ）に示した複数の代表画像のうち「あ」を示す代表画像に携帯端末の操作者が指等の物体で接触したときの状態を示す図である。
【発明を実施するための形態】
【００２２】
以下に、本発明の実施の形態について図面を参照して説明する。
【００２３】
図１は、本発明の携帯端末の外観を示す斜視図である。また、図２は、本発明の携帯端末の実施の一形態の構成を示すブロック図である。
【００２４】
本実施形態の携帯端末１０は図１に示すように、表示部１３を備えている。携帯端末１０の操作者（以降、単に操作者という）は、携帯端末１０を保持して携帯端末１０を任意の方向に傾けることができる。
【００２５】
図１に示した携帯端末１０は図２に示すように、制御部１１と、入力部１２と、上述した表示部１３と、傾き検出部１４とを備えている。
【００２６】
表示部１３は、制御部１１からの指示に応じ、画像を表示する。具体的には例えば、表示部１３は、操作者が携帯端末１０に文字を入力する際に用いる画像を表示する。
【００２７】
図３は、図１に示した表示部１３に表示される、操作者が携帯端末１０に文字を入力する際に用いる画像の一例を示す図であり、（ａ）は複数の代表画像の一例を示す図、（ｂ）は（ａ）に示した代表画像のうち「あ」を示す代表画像に操作者が指等の物体で接触したときの状態を示す図である。
【００２８】
図３に示した複数の代表画像５２のそれぞれは、上述したのと同様に、５０音の各行の最初の文字を示す画像である。なお、図３（ｂ）に示した関連画像５３については後述する。
【００２９】
また、図３に示した終了用画像５４は、操作者が携帯端末１０への文字の入力の終了を指示する際に用いる画像である。
【００３０】
再度、図２を参照すると、入力部１２は、表示部１３に積層されており、操作者が指等の物体で表示部１３に接触すると、その接触および接触した表示部１３上の位置を検知する。そして、入力部１２は、検知した位置を示す接触情報を制御部１１へ出力する。また、入力部１２は、接触を検知した後、その接触がなくなったことを検知すると、その旨を示す非接触情報を制御部１１へ出力する。
【００３１】
制御部１１は、表示部１３に表示させた画像の表示部１３における表示位置を記憶している。例えば、図３（ａ）に示した画像が表示部１３に表示されている場合、制御部１１は、複数の代表画像５２のそれぞれを表示させた表示部１３における表示位置を記憶している。また、制御部１１は、終了用画像５４の表示部１３における表示位置を記憶している。また、制御部１１は、入力部１２から出力された接触情報を受け付ける。そして、制御部１１は、表示部１３に表示された画像と、受け付けた接触情報が示す位置とに応じた動作を実行する。例えば、図３（ａ）に示した画像が表示部１３に表示されている場合、受け付けた接触情報が示す位置が、複数の代表画像５２のそれぞれの表示部１３における表示位置のいずれかである場合、制御部１１は、その代表画像を、選択された画像である選択画像として認識する。そして、制御部１１は、選択画像として認識した代表画像の表示形態を変更させる。具体的には例えば、制御部１１は、「あ」を示す代表画像を選択画像として認識した場合、図３（ｂ）に示したように、「あ」を示す代表画像を表示部１３において反転表示させる。これにより、操作者は、自身が選択している文字を確認することができる。また、制御部１１は、代表画像と、代表画像に関連付けられた関連画像との間の表示部１３における表示位置の関係を表すものとして第１〜第４の方向を記憶している。なお、関連画像は、例えば代表画像が「あ」を示す画像である場合、「あ」行の「あ」以外の文字である「い」〜「お」のそれぞれを示す４つの画像である。
【００３２】
図４は、図２に示した制御部１１が記憶している第１〜第４の方向を説明するための図である。
【００３３】
図２に示した制御部１１は図４に示すように、表示部１３において図中下から上の方向を第１の方向として記憶している。同様に、制御部１１は、表示部１３において図中上から下の方向を第３の方向として記憶している。同様に、制御部１１は、表示部１３において図中左から右の方向を第２の方向として記憶している。同様に、制御部１１は、表示部１３において図中右から左の方向を第４の方向として記憶している。
【００３４】
そして、制御部１１は、例えば「あ」を示す代表画像を選択画像として認識した場合、表示部１３において、「あ」を示す代表画像の周囲に「い」〜「お」のそれぞれを示す４つの関連画像のそれぞれを記憶させる。具体的には、制御部１１は、「あ」を示す代表画像の第１〜第４の方向のそれぞれに、「い」〜「お」のそれぞれを示す４つの関連画像のそれぞれを表示させる。そして、制御部１１は、第１〜第４の方向のうち「い」〜「お」のそれぞれを示す４つの関連画像のそれぞれを表示させた方向を、その関連画像と対応付けて記憶する。図４を参照すると、例えば「い」を示す関連画像は、第１の方向と対応付けられる。同様に例えば、「お」を示す関連画像は、第４の方向と対応付けられる。ここで、例えば、や行や、わ行の場合、その行の最初の文字以外の文字は４文字よりも少なくなる。制御部１１は、例えば「や」を示す代表画像を選択画像として認識した場合、表示部１３において、「ゆ」を示す関連画像を例えば第２の方向に表示させ、「よ」を示す関連画像を例えば第４の方向に表示させる。その後、制御部１１は、後述する傾き検出部１４から出力された方向情報を受け付けると、認識している選択画像に代えて、受け付けた方向情報に対応付けられた関連画像を新たな選択画像として認識する。なお、方向情報は、上述した第１〜第４の方向のいずれかを示す情報である。具体的には例えば、制御部１１は、「あ」を示す代表画像を選択画像として認識している場合、受け付けた方向情報が示す方向が第１の方向であると、「あ」を示す代表画像に代えて、第１の方向と対応付けられた「い」を示す関連画像を新たに選択画像として認識する。ここで、関連画像を選択画像として認識した場合、制御部１１は、第１〜第４の方向のうちその関連画像からの代表画像の方向を代表画像と対応付けて記憶する。具体的には例えば、図４を参照すると、制御部１１は、「い」を示す関連画像を選択画像として認識した場合、「い」を示す関連画像からの「あ」を示す代表画像の方向である第３の方向と、「あ」を示す代表画像とを対応付けて記憶する。そして、制御部１１は、「い」を示す関連画像を選択画像として認識しているときに、受け付けた方向情報が示す方向が第３の方向である場合、「い」を示す関連画像に代えて、第３の方向と対応付けられた「あ」を示す代表画像を新たに選択画像として認識する。なお、「い」を示す関連画像を選択画像として認識しているときに、受け付けた方向情報が示す方向が第３の方向以外の方向である場合、受け付けた方向情報が示す方向と、代表画像とが対応付けられていないことになる。この場合には、制御部１１は、選択画像として認識している「い」を示す関連画像をそのまま新たな選択画像として認識するようにすればよい。また、制御部１１は、選択画像を認識しているときに、入力部１２から出力された非接触情報を受け付けると、選択画像として認識している代表画像または関連画像のいずれかが示す文字を、入力された入力文字として認識する。そして、制御部１１は、入力文字として認識した文字を、図３に示した入力文字表示エリア５１に表示させる。
【００３５】
傾き検出部１４は、例えばジャイロセンサーを備えており、携帯端末１０の傾きとともに傾きの変化を検出する。そして、傾き検出部１４は、検出した変化に応じ、上述した第１〜第４の方向のいずれかを携帯端末１０が傾けられた方向として決定する。そして、傾き検出部１４は、決定した方向を示す方向情報を制御部１１へ出力する。
【００３６】
以下に、上記のように構成された携帯端末１０が操作者からの入力操作を受け付ける動作について説明する。ここでは、携帯端末１０が操作者からの文字入力を受け付けるときの動作について説明する。
【００３７】
図５は、図１〜図４に示した携帯端末１０が操作者からの文字入力を受け付けるときの動作を説明するためのフローチャートである。ここでは、図３（ａ）に示した画像が表示部１３に表示されているところから説明する。
【００３８】
まず、操作者は、指等の物体で表示部１３に接触する。
【００３９】
入力部１２は、その接触および接触した表示部１３上の位置を検知する（ステップＳ１）。
【００４０】
そして、入力部１２は、検知した位置を示す接触情報を制御部１１へ出力する。
【００４１】
入力部１２から出力された接触情報を受け付けた制御部１１は、受け付けた接触情報が示す位置が、終了用画像５４の表示部１３における表示位置であるかどうかを確認する。すなわち、制御部１１は、文字入力の終了の指示を受け付けたかどうかを確認する（ステップＳ２）。
【００４２】
ステップＳ２における確認の結果、受け付けた接触情報が示す位置が、終了用画像５４の表示部１３における表示位置である場合、制御部１１は、文字入力を受け付ける処理を終了する。
【００４３】
一方、ステップＳ２における確認の結果、受け付けた接触情報が示す位置が、終了用画像５４の表示部１３における表示位置でない場合、制御部１１は、受け付けた接触情報が示す位置が、複数の代表画像５２のそれぞれの表示部１３における表示位置のいずれかであるかどうかを確認する。すなわち、制御部１１は、複数の代表画像のいずれかが選択されたかどうかを確認する（ステップＳ３）。
【００４４】
ステップＳ３における確認の結果、受け付けた接触情報が示す位置が、複数の代表画像５２のそれぞれの表示部１３における表示位置のいずれでもない場合、ステップＳ１の動作へ遷移する。
【００４５】
一方、ステップＳ３における確認の結果、受け付けた接触情報が示す位置が、複数の代表画像５２の表示部１３における表示位置のいずれかである場合、制御部１１は、その代表画像を選択画像として認識する（ステップＳ４）。以降の説明では、操作者は、表示部１３上の「あ」を示す代表画像が表示された位置に指等の物体で接触したものとする。従って、ここでは、制御部１１は、「あ」を示す代表画像を選択画像として認識することになる。
【００４６】
次に、制御部１１は、選択画像として認識した「あ」を示す代表画像を表示部１３において反転表示させる（ステップＳ５）。
【００４７】
次に、制御部１１は、表示部１３において、「あ」を示す代表画像の第１〜第４の方向のそれぞれに、「い」〜「お」のそれぞれを示す４つの関連画像のそれぞれを表示させる（ステップＳ６）。
【００４８】
次に、制御部１１は、第１〜第４の方向のうち「い」〜「お」のそれぞれを示す４つの関連画像のそれぞれを表示させた方向を、その関連画像と対応付けて記憶する。
【００４９】
そして、制御部１１は、入力部１２から出力された非接触情報を受け付けたかどうかを確認する（ステップＳ７）。
【００５０】
ステップＳ７における確認の結果、入力部１２から出力された非接触情報を受け付けた場合、制御部１１は、選択画像が示す文字を入力文字として認識する（ステップＳ８）。
【００５１】
そして、制御部１１は、入力文字として認識した文字を、図３に示した入力文字表示エリア５１に表示させる（ステップＳ９）。そして、ステップＳ１の動作へ遷移する。
【００５２】
一方、ステップＳ７における確認の結果、入力部１２から出力された非接触情報を受け付けていない場合、制御部１１は、傾き検出部１４から出力された方向情報を受け付けたかどうかを確認する（ステップＳ１０）。
【００５３】
ステップＳ１０における確認の結果、傾き検出部１４から出力された方向情報を受け付けていない場合、ステップＳ７の動作へ遷移する。
【００５４】
一方、ステップＳ１０における確認の結果、傾き検出部１４から出力された方向情報を受け付けた場合、制御部１１は、認識している選択画像に代えて、受け付けた方向情報が示す方向に対応付けられた代表画像または関連画像を新たな選択画像として認識する（ステップＳ１１）。
【００５５】
次に、制御部１１は、新たに選択画像として認識した代表画像または関連画像を表示部１３において反転表示させる（ステップＳ１２）。そして、ステップＳ７の動作へ遷移する。
【００５６】
このように本実施形態において携帯端末１０は、表示部１３と、表示部１３に積層され、物体が接触または近接した位置を検知する入力部１２と、傾きを検出する傾き検出部１４とを備えている。
【００５７】
また、携帯端末１０は、入力部１２にて検知された位置に基づき、その位置に対応する表示部１３に表示された画像を選択画像として認識した後、認識した選択画像と、傾き検出部１４にて検出された傾きの変化とに応じた動作を実行する。
【００５８】
これにより、落下させてしまう危険性を増大させることなく、片手での入力操作が可能となる。
【００５９】
なお、上述した第１および第２の実施形態において、入力部１２は指等の物体の接触を検知するものとして説明したが、入力部１２は指等の物体の近接を検知するものであってもよい。
【００６０】
また、本実施形態においては、傾き検出部１４が、携帯端末１０の傾きの変化を検出し、検出した変化に応じ、携帯端末１０が傾けられた方向を決定する場合について説明した。携帯端末１０の傾きの変化を検出し、検出した変化に応じ、携帯端末１０が傾けられた方向を決定する動作は、このようなものに限定されない。
【００６１】
一例としては、傾き検出部１４が、携帯端末１０の傾きだけを検出し、検出した傾きを示す傾き情報を制御部１１へ出力する。傾き検出部１４から出力された傾き情報を受け付けた制御部１１は、例えば、この傾き情報が示す傾きと、この傾き情報を受け付ける前に受け付けた傾き情報が示す傾きとを比較することで携帯端末１０の傾きの変化を検出する。そして、制御部１１は、検出した変化に応じ、携帯端末１０が傾けられた方向を決定する。
【００６２】
また、本発明においては、携帯端末内の処理は上述の専用のハードウェアにて実現されるもの以外に、その機能を実現するためのプログラムを携帯端末にて読取可能な記録媒体に記録し、この記録媒体に記録されたプログラムを携帯端末に読み込ませ、実行するものであっても良い。携帯端末にて読取可能な記録媒体とは、フレキシブルディスク、光磁気ディスク、ＤＶＤ、ＣＤなどの移設可能な記録媒体の他、携帯端末に内蔵されたＨＤＤなどを指す。
【符号の説明】
【００６３】
１０    携帯端末
１１    制御部
１２    入力部
１３    表示部
１４    傾き検出部
５１    入力文字表示エリア
５２    代表画像
５３    関連画像
５４    終了用画像
【図１】
2013058024.tif 000003
【図２】
2013058024.tif 000004
【図５】
2013058024.tif 000005
【図３】
2013058024.tif 000006
【図４】
2013058024.tif 000007
【図６】
2013058024.tif 000008